(57)【要約】      （修正有）【課題】長さが異なる傘を収納できる傘立て構造を提供する。【解決手段】傘立て構造は、縦フレーム１０と三層フレームを有し、三層フレームを形成する各層フレーム２０、３０、４０は、それぞれ、縦フレームの上中下端の位置に固定され、上、中端位置の層フレーム２０、３０は、複数の挿入孔を設置し、二個の水滴トレイ５０、６０は、それぞれ、可動で、中端位置の層フレーム、および、下端位置の層フレーム上に設置され、水滴トレイの一つは、中端位置の層フレームの局部面積に設置され、もうひとつの水滴トレイは、下端位置の層フレームの底面に設置され、これにより、長い傘と短い傘が、別々に収納できる。【選択図】図１
0003200008.tif 000002
【実用新案登録請求の範囲】
【請求項１】
傘立て構造であって、縦フレームと三層フレームを有し、前記三層フレームを形成する各層フレームは、それぞれ、前記縦フレームの上中下端の位置に固定され、前記層フレームは複数の挿入孔を設置し、二水滴トレイが、それぞれ、可動で、中端位置の層フレーム、および、下端位置の層フレーム上に設置され、前記の一水滴トレイは、中端位置の層フレームの局部面積に設置され、もうひとつの水滴トレイは、下端位置の層フレーム面積いっぱい設置されることを特徴とする傘立て構造。
【請求項２】
前記上端位置の層フレームは、垂直向きの扁平フレーム内に仕切りを設置してなり、前記挿入孔は、複数の仕切りを垂直に交錯させて形成されることを特徴とする請求項１に記載の傘立て構造。
【請求項３】
前記中端位置の層フレームは、垂直向きの扁平フレーム内に、仕切りを設置してなり、前記挿入孔は、複数の仕切りを交錯させて形成され、また、前記の一仕切りが垂直に設置され、もうひとつの仕切りは、水平に、垂直方向の仕切り下端に設置され、前記層フレーム局部面積の水滴トレイが前記層フレームの辺フレームと垂直方向の仕切り内に設置され、且つ、前記水滴トレイ上端外周に、突出した折辺を設置し、前記層フレームの辺フレームと垂直方向の仕切り上縁が定位することを特徴とする請求項１に記載の傘立て構造。
【請求項４】
前記中端位置の層フレーム上の水滴トレイは、前記層フレーム面積の二分の一の比例であることを特徴とする請求項１に記載の傘立て構造。
【請求項５】
前記下端位置の層フレームは、垂直向きの扁平フレームからなり、前記層フレームに対応して設置される前記水滴トレイ上端外周は、突出した折辺を形成して、前記水滴トレイが、前記層フレームの辺フレーム上縁で定位することを特徴とする請求項１に記載の傘立て構造。
【請求項６】
前記層フレームは、トラック円周、または、円形状で、前記縦フレームは、前記層フレームに対応する半弧片状であることを特徴とする請求項１に記載の傘立て構造。
【請求項７】
前記層フレームは長方形か正方形で、前記縦フレームは、対角に配置された二つの直角片状であることを特徴とする請求項１に記載の傘立て構造。
【考案の詳細な説明】
【技術分野】
【０００１】
本考案は、傘立てに関するものであって、特に、長さが異なる傘を収納できる傘立て構造に関するものである。
【背景技術】
【０００２】
濡れた傘を店内に持って入ると、傘から滴り落ちる水滴が室内の地面を濡らすので、オフィスや商店は、室外入り口に傘立てを用意して、傘を収納している。
従来の傘立ては、多くが、水滴トレイを設置していないので、傘から滴り落ちた水滴が室外の地面を濡らし、水滴トレイを設置している傘立ても、水滴トレイが固定で設置されているので、取り外して水を排出したり、洗浄することが困難で、且つ、固定式の水滴トレイ位置は、通常、底層にあるので、従来の傘立ては、長い傘に適用できるが、折り畳み傘を挿入すると、取り出すことが難しい。よって、従来の傘立ては改善の余地がある。
【考案の概要】
【考案が解決しようとする課題】
【０００３】
本考案は、長さが異なる傘を収納できる傘立て構造を提供することを目的とする。
【課題を解決するための手段】
【０００４】
上述の目的を達成するため、本考案は傘立て構造を提供し、傘立て構造は、縦フレームと三層フレームを有し、三層フレームを形成する各層フレームは、それぞれ、縦フレームの上中下端の位置に固定され、上、中端位置の層フレームは複数の挿入孔を有し、二水滴トレイは、それぞれ、可動式で、中端位置の層フレーム、および、下端位置の層フレーム上に設置され、水滴トレイは、中端位置の層フレームの局部面積に設置され、もうひとつの水滴トレイは、下端位置の層フレームの面積いっぱいに設置される。
【考案の効果】
【０００５】
上述の素子から構成される傘立て構造は、中端位置の層フレーム上の水滴トレイを、層フレームの局部面積に設置するので、中端位置の層フレーム上に設けられた水滴トレイは、短い傘を、上端位置の層フレームの挿入孔から挿入して収容、また、水滴トレイにより遮蔽されない挿入孔は、長い傘を、上端位置の層フレームの挿入孔から挿入し、中端位置の層フレームの挿入孔を経て収納できる。
【図面の簡単な説明】
【０００６】
【図１】本考案の一実施形態による立体図である。
【図２】本考案の一実施形態による立体分解図である。
【図３】本考案の一実施形態による使用状態の参考図である。
【図４】本考案其一実施形態による水滴トレイを下端層フレームに設置した立体図である。
【図５】図４の使用状態の参考図である。
【図６】本考案の別の実施形態による立体図である。
【図７】本考案のまた別の実施形態による立体図である。
【図８】本考案のさらにまた別の実施形態による立体図である。
【考案を実施するための形態】
【０００７】
本考案は、長さが異なる傘を収納できる傘立て構造を提供する。図１と図２に示されるように、本考案の傘立て構造は、縦フレーム１０と三層フレームを形成する層フレーム２０、３０、４０から構成され、層フレーム２０、３０、４０は、それぞれ、縦フレームの上中下端の位置に固定され、上、中端位置に位置する層フレーム２０、３０は、複数の挿入孔２１、３１を設置し、二水滴トレイ５０、６０は、それぞれ、中端位置の層フレーム３０、および、下端位置の層フレーム４０上に可動で設置され、水滴トレイ５０は、中端位置の層フレーム３０の局部面積に設置され、もうひとつの水滴トレイ６０は、下端位置の層フレーム４０の面積いっぱいに設置される。
本考案の傘立て構造は、上端位置の層フレーム２０が、垂直向きの扁平フレーム２２内に、仕切り２３を設置してなり、挿入孔２１は、複数の仕切り２３を垂直に交錯させて形成される。
本考案の傘立て構造は、中端位置の層フレーム３０が、垂直向きの扁平フレーム３２に仕切り３３を設置してなり、挿入孔３１は、複数の仕切り３３を交錯させて形成され、さらに、仕切り３３’が垂直に設置され、もうひとつの仕切り３３”は水平に、垂直方向の仕切り３３’下端に設置され、層フレーム３０局部面積の水滴トレイ５０が、層フレーム３０の辺フレーム３２と垂直方向の仕切り３３’内に設置され、且つ、水滴トレイ５０上端外周に、突出した折辺５１を形成して、層フレーム３０の辺フレーム３２と垂直方向の仕切り３３’上縁で定位する。
上述の傘立て構造は、中端位置の層フレーム３０上の水滴トレイ５０が、層フレーム３０面積の二分の一の比例である。
上述の傘立て構造は、下端位置の層フレーム４０が、垂直向きの扁平フレーム４１からなり、層フレーム４０に対応して設置される水滴トレイ６０上端外周は、突出した折辺６１を形成して、水滴トレイ６０が、層フレーム４０の辺フレーム４１上縁で定位する。
図３に示されるように、本考案の傘立て構造は、中端位置の層フレーム３０上の水滴トレイ５０が、層フレーム３０の局部面積に設置されるので、短い傘７０は、上端位置の層フレーム２０の挿入孔２１から挿入して収納でき、水滴トレイ５０により遮蔽されない挿入孔３１は、長い傘８０を、上端位置の層フレーム２０の挿入孔２１から、中端位置の層フレーム３０の挿入孔３１を経て、下向けに挿入して収納できる。
図４と図５に示されるように、本考案の傘立て構造は、二水滴トレイ５０、６０が、下端位置の層フレーム４０上に設置され、長い傘８０を収納するさらに大きい空間を生成することができる。
さらに、本考案の傘立て構造は、層フレーム２０、３０、４０がトラック円周形状で、縦フレーム１０は、層フレーム２０、３０、４０に対応する半弧片状である(図１に示される)。 
さらに、本考案の傘立て構造は、層フレーム２０、３０、４０が円形状で、縦フレーム１０は、層フレーム２０、３０、４０に対応する半弧片状である(図６に示される)。
また、図７と図８を参照すると、本考案の傘立て構造は、層フレーム２０、３０、４０が長方形か正方形で、縦フレーム１０は、対角に配置された二つの直角片状である。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
10  縦フレーム
20  層フレーム            21  挿入孔
22  辺フレーム            23  仕切り
30  層フレーム
31  挿入孔                32  辺フレーム
33  仕切り                33’仕切り           
33”仕切り
40  層フレーム            41  辺フレーム
50  水滴トレイ            60  水滴トレイ
70  短型雨傘               80  長型雨傘
【図１】
0003200008.tif 000003
【図２】
0003200008.tif 000004
【図３】
0003200008.tif 000005
【図４】
0003200008.tif 000006
【図５】
0003200008.tif 000007
【図６】
0003200008.tif 000008
【図７】
0003200008.tif 000009
【図８】
0003200008.tif 000010
【手続補正書】
【提出日】平成27年7月17日(2015.7.17)
【手続補正１】
【補正対象書類名】実用新案登録請求の範囲
【補正対象項目名】請求項１
【補正方法】変更
【補正の内容】
【請求項１】
傘立て構造であって、縦フレームと三層フレームを有し、前記三層フレームは、それぞれ、前記縦フレームの上中下端の位置に固定され、前記層フレームは複数の挿入孔を設置し、二個の水滴トレイが、それぞれ、可動で、中端位置の層フレーム、および、下端位置の層フレーム上に設置され、前記水滴トレイの一つは、中端位置の層フレームの局部面積に設置され、もうひとつの水滴トレイは、下端位置の層フレーム面積いっぱい設置されることを特徴とする傘立て構造。
【手続補正２】
【補正対象書類名】実用新案登録請求の範囲
【補正対象項目名】請求項４
【補正方法】変更
【補正の内容】
【請求項４】
前記中端位置の層フレーム上の水滴トレイの面積は、前記層フレームに囲まれた部分の面積の二分の一であることを特徴とする請求項１に記載の傘立て構造。
【手続補正３】
【補正対象書類名】明細書
【補正対象項目名】０００４
【補正方法】変更
【補正の内容】
【０００４】
上述の目的を達成するため、本考案は傘立て構造を提供し、傘立て構造は、縦フレームと三層フレームを有し、三層フレームを形成する各層フレームは、それぞれ、縦フレームの上中下端の位置に固定され、上、中端位置の層フレームは複数の挿入孔を有し、二個の水滴トレイは、それぞれ、可動式で、中端位置の層フレーム、および、下端位置の層フレーム上に設置され、一つの水滴トレイは、中端位置の層フレームの局部面積に設置され、もうひとつの水滴トレイは、下端位置の層フレームの面積いっぱいに設置される。
【手続補正４】
【補正対象書類名】明細書
【補正対象項目名】０００７
【補正方法】変更
【補正の内容】
【０００７】
本考案は、長さが異なる傘を収納できる傘立て構造を提供する。図１と図２に示されるように、本考案の傘立て構造は、縦フレーム１０と三層フレーム２０、３０、４０から構成され、三層フレーム２０、３０、４０は、それぞれ、縦フレームの上中下端の位置に固定され、上、中端位置に位置する層フレーム２０、３０は、複数の挿入孔２１、３１を設置し、二個の水滴トレイ５０、６０は、それぞれ、中端位置の層フレーム３０、および、下端位置の層フレーム４０上に可動で設置され、水滴トレイ５０は、中端位置の層フレーム３０の局部面積に設置され、もうひとつの水滴トレイ６０は、下端位置の層フレーム４０の面積いっぱいに設置される。
本考案の傘立て構造は、上端位置の層フレーム２０が、垂直向きの扁平フレーム２２内に、仕切り２３を設置してなり、挿入孔２１は、複数の仕切り２３を垂直に交錯させて形成される。
本考案の傘立て構造は、中端位置の層フレーム３０が、垂直向きの扁平フレーム３２に仕切り３３を設置してなり、挿入孔３１は、複数の仕切り３３を交錯させて形成され、さらに、仕切り３３’が垂直に設置され、もうひとつの仕切り３３”は水平に、垂直方向の仕切り３３’下端に設置され、層フレーム３０局部面積の水滴トレイ５０が、層フレーム３０の辺フレーム３２と垂直方向の仕切り３３’内に設置され、且つ、水滴トレイ５０上端外周に、突出した折辺５１を形成して、層フレーム３０の辺フレーム３２と垂直方向の仕切り３３’上縁で定位する。
上述の傘立て構造は、中端位置の層フレーム３０上の水滴トレイ５０が、層フレーム３０面積の二分の一の比例である。
上述の傘立て構造は、下端位置の層フレーム４０が、垂直向きの扁平フレーム４１からなり、層フレーム４０に対応して設置される水滴トレイ６０上端外周は、突出した折辺６１を形成して、水滴トレイ６０が、層フレーム４０の辺フレーム４１上縁で定位する。
図３に示されるように、本考案の傘立て構造は、中端位置の層フレーム３０上の水滴トレイ５０が、層フレーム３０の局部面積に設置されるので、短い傘７０は、上端位置の層フレーム２０の挿入孔２１から挿入して収納でき、水滴トレイ５０により遮蔽されない挿入孔３１は、長い傘８０を、上端位置の層フレーム２０の挿入孔２１から、中端位置の層フレーム３０の挿入孔３１を経て、下向けに挿入して収納できる。
図４と図５に示されるように、本考案の傘立て構造は、二個の水滴トレイ５０、６０が、下端位置の層フレーム４０上に設置され、長い傘８０を収納するさらに大きい空間を生成することができる。
さらに、本考案の傘立て構造は、層フレーム２０、３０、４０がトラック円周形状で、縦フレーム１０は、層フレーム２０、３０、４０に対応する半弧片状である(図１に示される)。 
さらに、本考案の傘立て構造は、層フレーム２０、３０、４０が円形状で、縦フレーム１０は、層フレーム２０、３０、４０に対応する半弧片状である(図６に示される)。
また、図７と図８を参照すると、本考案の傘立て構造は、層フレーム２０、３０、４０が長方形か正方形で、縦フレーム１０は、対角に配置された二つの直角片状である。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。